【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
システムであって、
１つ又は複数のプロセッサと、
前記１つ又は複数のプロセッサによって実行可能な命令を記憶した少なくとも１つの有形のコンピュータ可読記憶媒体とを備え、前記実行可能命令が、少なくとも１つのデータ処理装置に、
質問結果を取得させ、
前記取得した質問結果に基づいて画像を表す第１の画像オブジェクトを含む文書を取得させ、
前記画像の少なくとも一部の選択を表す選択指標を取得させ、
以前に画像アソシエーションデータベースインデックスに記憶されたウェブクローラ画像マッチング解析結果に基づいて、前記画像の前記選択された部分とデータベースの３次元（３Ｄ）画像オブジェクトとの間の一致対応を決定させ、
前記画像の前記選択された部分に対応する前記データベース３Ｄ画像オブジェクトの３Ｄレンダリングを開始させるように構成された、システム。
【請求項２】
前記実行可能命令が、前記少なくとも１つのデータ処理装置に、
質問に対する前記質問結果を取得させ、
前記３Ｄレンダリングを開始することは、前記画像の前記選択された部分に関連付けられた３Ｄポップアップ画像のレンダリングを開始することを含み、
前記一致対応は、前記ウェブクローラ画像マッチング解析結果、及びコンテキストに基づいて決定され、前記コンテキストは、
前記質問、
前記取得した文書内の取得された第１画像オブジェクトに対して所定の近傍内に位置するテキスト、
前記取得した文書に関連付けられたタイトル、
前記取得した文書を参照するソースを介して取得した情報、または
前記取得された第１画像オブジェクトに関連付けられた記憶アドレス指標のうち１つ以上に基づくコンテキストである、請求項１に記載のシステム。
【請求項３】
前記実行可能命令が、前記少なくとも１つのデータ処理装置に、
前記データベース３Ｄ画像オブジェクトに関連付けられた１つ又は複数の注釈を取得させ、
前記画像の前記選択された部分に対応する前記データベース３Ｄ画像オブジェクトのオブジェクトデータベースからの検索を開始させるように構成され、
前記３Ｄレンダリングを開始することが、前記取得した注釈を用いて、前記画像の前記選択された部分に対応する前記検索されたデータベース３Ｄ画像オブジェクトの前記３Ｄレンダリングを開始することを含む、請求項１に記載のシステム。
【請求項４】
前記実行可能命令が、前記少なくとも１つのデータ処理装置に、  ユーザ、
マーケティングアプリケーション、
ソーシャルネットワーキングアプリケーション、又は
注釈データベース
のうち１つ以上から前記データベース３Ｄ画像オブジェクトに関連付けられた前記１つ又は複数の注釈を取得させ、
前記注釈の少なくとも一部が、前記注釈の一部に含まれる各注釈に関連付けられた前記データベース３Ｄ画像オブジェクト内のローカリティを示す１つ以上の画像ロケール指標を含み、
前記３Ｄレンダリングを開始することが、前記検索されたデータベース３Ｄ画像オブジェクト内の前記示されたローカリティに関連付けて表示された前記注釈の一部を用いて、前記画像の前記選択された部分に対応する前記検索されたデータベース３Ｄ画像オブジェクトの前記３Ｄレンダリングを開始することを含む、請求項３に記載のシステム。
【請求項５】
前記実行可能命令が、前記少なくとも１つのデータ処理装置に、
ユーザ入力デバイスから操作指標を取得させ、
前記３Ｄレンダリングを開始することが、前記受け取った操作指標に基づいて、前記画像の前記選択された部分に対応する前記データベース３Ｄ画像オブジェクトの前記３Ｄレンダリングを開始することを含み、
前記３Ｄレンダリングを開始することが、前記データベース３Ｄ画像オブジェクトに関連付けられた複数の異なる３Ｄ回転画像ビューの３Ｄレンダリングに基づいて、前記画像の前記選択された部分に対応する前記データベース３Ｄ画像オブジェクトの前記３Ｄレンダリングを開始することを含む、請求項１に記載のシステム。
【請求項６】
前記実行可能命令が、前記少なくとも１つのデータ処理装置に、
質問に応答して、前記質問結果を取得させ、
１つ又は複数のアクティブな画像に関連付けられたウォブルアクティビティのレンダリングを開始すること、又は
前記１つ又は複数のアクティブなイメージに関連付けられた１つ又は複数のアクティブな画像の視覚指標のレンダリングを開始することのうち１つ以上に基づいて、前記１つ又は複数のアクティブな画像の表示のレンダリングを開始させるように構成され、
前記表示の前記レンダリングのための前記１つ又は複数のアクティブな画像の選択が、
前記質問に関連付けられた属性、
ユーザプロファイルから取得した属性、
最近の質問履歴に関連付けられた属性、
ソーシャルネットワーキング情報から取得した属性、
スポンサーコンテンツの１つ又は複数のスポンサーから取得した属性、又は、
前記画像アソシエーションデータベースインデックスから取得した一致情報のうち１つ以上に基づき、前記実行可能命令が、
１つ又は複数のアクティブな画像の前記表示の前記３Ｄレンダリングで前記スポンサーコンテンツの出力を開始すること、又は
前記データベース３Ｄ画像オブジェクトの前記３Ｄレンダリングで前記スポンサーコンテンツの出力を開始することのうち１つ以上に基づいて、前記少なくとも１つのデータ処理装置に、前記画像の前記選択された部分に対応するスポンサーコンテンツの出力を開始させるように構成された、請求項１に記載のシステム。
【請求項７】
各々が対応する２次元（２Ｄ）画像に関連付けられた３Ｄモデルを表す複数のデータベース３次元（３Ｄ）画像オブジェクトを取得することと、
デバイスプロセッサを介して、３Ｄモデルデータベース内への前記複数のデータベース３Ｄ画像オブジェクトの記憶を開始することと、
ウェブクロール操作に基づいて、第１の２Ｄ画像を表す画像オブジェクトを含む文書を取得することと、
前記取得した画像オブジェクトと、前記第１の２Ｄ画像に関連付けられた一致３Ｄモデルを表す、前記データベース３Ｄ画像オブジェクトの一致する１つの画像オブジェクトとの間の一致対応を決定することと、
前記文書内に含まれる前記取得した画像オブジェクトと３Ｄモデルデータベース内に記憶された前記一致するデータベース３Ｄ画像オブジェクトとの間の前記一致対応を示す一致指標の画像アソシエーションデータベースインデックス内への入力を開始することとを含む、方法。
【請求項８】
前記一致対応を決定することが、前記取得した画像オブジェクトの一部と前記第１の２Ｄ画像の一部に関連付けられた３Ｄモデルを表す、前記データベース３Ｄ画像オブジェクトの前記一致する１つの画像オブジェクトとの間の一致対応を決定することを含み、
前記一致指標の入力を開始することが、前記文書内に含まれる前記取得した画像オブジェクトの前記一部と前記３Ｄモデルデータベース内に記憶された前記一致するデータベース３Ｄ画像オブジェクトの部分との間の一致対応を示す一致指標の画像アソシエーションデータベースインデックス内への入力を開始することを含む、請求項７に記載の方法。
【請求項９】
前記一致対応を決定することが、
前記取得した文書内の前記取得された画像オブジェクトのコンテキスト、
ユーザから取得した一致選択、又は
前記取得した画像オブジェクトに関連付けられた記憶アドレス指標
のうち１つ以上に基づいて、前記取得した画像オブジェクトと前記データベース３Ｄ画像オブジェクトの前記一致する１つの画像オブジェクトとの間の前記一致対応を決定することを含む、請求項７に記載の方法。
【請求項１０】
前記コンテキストは、
前記取得した文書内の前記取得された画像オブジェクトに対して所定の近傍内に位置するテキスト、
前記取得した文書に関連付けられたタイトル、または
前記取得した文書を参照するソースを介して取得した情報のうち１つ以上を含む、請求項９に記載の方法。
【請求項１１】
前記取得した文書が、
ウェブページ、
ビデオファイル、
１つ又は複数の埋め込まれた画像を含むテキスト文書、
１つ又は複数の埋め込まれた画像を含むｅメールメッセージ、又は
１つ又は複数の添付画像を含む文書
のうち１つ以上を含み、
前記取得した文書がビデオファイルを含む場合、前記一致対応を決定することが、前記ビデオファイル内に含まれる２Ｄフレームと、前記２Ｄフレームの少なくとも一部に対応する３Ｄ画像モデルを表す、前記データベース３Ｄ画像オブジェクトの前記一致する１つの画像オブジェクトとの間の前記一致対応を決定することを含む、請求項７に記載の方法。
【請求項１２】
前記データベース３Ｄ画像オブジェクトの１つを求める要求を受け取ることをさらに含み、
前記要求は、第２の２Ｄ画像を表す第２の画像オブジェクトに関連付けられた指標を含み、
前記画像アソシエーションデータベースインデックスに記憶された第２の一致指標へのアクセスに基づいて、前記要求されたデータベース３Ｄ画像オブジェクトを取得することをさらに含み、
前記第２の一致指標は、前記第２の画像オブジェクトと、前記３Ｄモデルデータベース内に記憶された、前記求められたデータベース３Ｄ画像オブジェクトとの間の一致対応を示す、請求項７に記載の方法。
【請求項１３】
前記データベース３Ｄ画像オブジェクトの第１の画像オブジェクトに関連付けられた複数の注釈を取得することと、
前記注釈と、前記データベース３Ｄ画像オブジェクトの前記第１の画像オブジェクトと前記複数の注釈との間の関連付けを示す指標を注釈データベース内に記憶することとをさらに含む、請求項７に記載の方法。
【請求項１４】
前記データベース３Ｄ画像オブジェクトの第１の画像オブジェクトに関連付けられた前記複数の注釈を取得することが、
ユーザ、
マーケティングアプリケーション、又は
ソーシャルネットワーキングアプリケーション
のうち１つ以上から前記データベース３Ｄ画像オブジェクトの第１の画像オブジェクトに関連付けられた前記複数の注釈を取得することを含む、請求項１３に記載の方法。
【請求項１５】
前記データベース３Ｄ画像オブジェクトの第１の画像オブジェクトに関連付けられた前記複数の注釈を取得することが、前記複数の注釈のそれぞれに関連付けられた前記データベース３Ｄ画像オブジェクトの前記第１の画像オブジェクト内のローカリティを示す画像ロケール指標を取得することを含む、請求項１３に記載の方法。
【請求項１６】
コンピュータプログラムであって、コンピュータ可読記憶媒体上に有形に具現化され、実行されると、少なくとも１つのデータ処理装置に、
２次元（２Ｄ）画像の表現を含む文書を取得させ、
前記２Ｄ画像の少なくとも一部の選択を示す選択指標を取得させ、
デバイスプロセッサを介して、前記２Ｄ画像の前記選択された部分とオブジェクトデータベースに記憶された３次元（３Ｄ）画像オブジェクトとの間のウェブクローラ解析結果に基づく一致対応を取得させ、
前記２Ｄ画像の前記選択された部分に対応する前記３次元画像オブジェクトの３Ｄレンダリングを開始させる実行可能コードを含む、コンピュータプログラム。
【請求項１７】
前記実行可能コードが、実行されると、前記少なくとも１つのデータ処理装置に、
前記オブジェクトデータベースに関連付けられたデータベースインデックスへの少なくとも１つのエントリに基づき、前記デバイスプロセッサを介して、前記２Ｄ画像の前記選択された部分と前記３Ｄ画像オブジェクトとの間の前記一致対応を取得させる、請求項１６に記載のコンピュータプログラム。
【請求項１８】
前記実行可能コードが、実行されると、前記少なくとも１つのデータ処理装置に、
前記３Ｄ画像オブジェクトに関連付けられた注釈情報の表示を開始させ、
前記注釈情報は、
広告情報、前記３Ｄ画像オブジェクトに関連付けられた説明情報、または前記取得した文書に関連付けられたソーシャルメディア情報のうち１つ以上を含み、
前記取得した文書が、
ウェブページ、
ビデオファイル、
１つ又は複数の埋め込まれた画像を含むテキスト文書、
１つ又は複数の埋め込まれた画像を含むｅメールメッセージ、又は
１つ又は複数の添付画像を含む文書
のうち１つ以上を含み、
前記取得した文書がビデオファイルを含む場合、前記２Ｄ画像の少なくとも一部の選択が、前記ビデオファイルのフレーム画像の少なくとも一部の選択を含む、請求項１６に記載のコンピュータプログラム。
【請求項１９】
前記実行可能コードが、実行されると、前記少なくとも１つのデータ処理装置に、
前記２Ｄ画像の少なくとも一部が前記オブジェクトデータベース内に記憶された３Ｄ画像オブジェクトに一致するという決定、
前記質問に関連付けられた属性、
ユーザプロファイルから取得した属性、
最近の質問履歴に関連付けられた属性、
ソーシャルネットワーキング情報から取得した属性、
スポンサーコンテンツの１つ又は複数のスポンサーから取得した属性のうち１つ以上に基づき、前記２Ｄ画像のアニメーション表示を開始させる、請求項１６に記載のコンピュータプログラム。
【請求項２０】
前記実行可能なコードが、実行されると、前記少なくとも１つのデータ処理装置に、
前記２Ｄ画像の前記選択された部分に関連付けられた３Ｄポップアップのレンダリングを開始すること、
前記２Ｄ画像の前記選択された部分に対応する前記３Ｄ画像オブジェクトに関連付けられた複数の異なる３Ｄ回転画像ビューの３Ｄレンダリングを開始すること、又は
ユーザ入力デバイスから得た操作指標に基づき、前記２Ｄ画像の前記選択された部分に対応する前記３Ｄ画像オブジェクトの３Ｄレンダリングを開始すること、のうち１つ以上に基づき、
ユーザブラウザに含まれるブラウザプラグインを介して前記２Ｄ画像の前記選択された部分に対応する前記３Ｄ画像オブジェクトの３Ｄレンダリングを開始させる、請求項１６に記載のコンピュータプログラム。